(57)【要約】  モバイルデバイスのロケーションを通信するための方法、装置、およびシステムを開示する。一実施形態では、方法は、モバイルデバイスにおいて、物体に関連するマーカーからの情報を決定することと、決定された情報に従ってロケーション要求を生成することと、生成されたロケーション要求に応答してロケーション情報を通信することとを含む。
2016529742.tif 000002
【特許請求の範囲】
【請求項１】
モバイルデバイスのロケーションを通信する方法であって、
前記モバイルデバイスにおいて、物体に関連するマーカーからの情報を決定することと、
前記決定された情報に従ってロケーション要求を生成することと、
前記生成されたロケーション要求に応答してロケーション情報を通信することと
を備える、方法。
【請求項２】
前記モバイルデバイスがセキュアユーザプレーンロケーション（ＳＵＰＬ）対応端末（ＳＥＴ）である、請求項１に記載の方法。
【請求項３】
前記マーカーが、無線周波数識別タグ、ニアフィールド通信タグ、多次元バーコード、およびクイックレスポンスコードのうちの少なくとも１つを備える、請求項１に記載の方法。
【請求項４】
ロケーション要求を生成することは、
符号化されたデータを決定するために前記マーカーからの前記情報を処理することと、
前記符号化されたデータに従ってＳＥＴ主導型ロケーション要求を生成することと
を備える、請求項１に記載の方法。
【請求項５】
前記符号化されたデータは、
ＳＵＰＬロケーションプラットフォーム（ＳＬＰ）サーバへの前記マーカーを識別するように構成された識別子と、
ＳＵＰＬセッションを開始するように構成されたコードと、
前記ＳＵＰＬセッションをサービスする前記ＳＬＰサーバのＩＰアドレスと
のうちの少なくとも１つを備える、請求項４に記載の方法。
【請求項６】
前記符号化されたデータは、
使用されるべきロケーション要求のモードと、
前記モバイルデバイスのロケーションを報告する先のサードパーティサーバのＩＰアドレスと
のうちの少なくとも１つをさらに備える、請求項４に記載の方法。
【請求項７】
ロケーション要求を生成することは、
符号化されたデータを取り出すために前記マーカーからの前記情報を処理することと、
前記符号化されたデータに従ってＳＵＰＬロケーションプラットフォーム（ＳＬＰ）サーバにロケーション要求ＳＭＳメッセージを送ることと
をさらに備える、請求項１に記載の方法。
【請求項８】
ワイヤレスアプリケーションプロトコル（ＷＡＰ）プッシュ機構を介して前記ＳＬＰサーバからＳＵＰＬメッセージを受信することと、
ショートメッセージサービス（ＳＭＳ）機構を介して前記ＳＬＰサーバから前記ＳＵＰＬメッセージを受信することと
のうちの少なくとも１つをさらに備える、請求項７に記載の方法。
【請求項９】
ロケーション情報を通信することは、
ロケーション計算を助けるためにＳＬＰサーバから支援データを受信することと、
ロケーション計算を助けるために前記ＳＬＰサーバにロケーション情報を送ることと
のうちの少なくとも１つを備える、請求項１に記載の方法。
【請求項１０】
前記ロケーション情報は、
前記モバイルデバイスによって測定されたロケーション情報と、
前記モバイルデバイスによって計算されたロケーション情報と
のうちの少なくとも１つを備える、請求項９に記載の方法。
【請求項１１】
前記ロケーション情報に少なくとも部分的に基づいて取得された前記モバイルデバイスのロケーションに応答してターゲット広告を受信すること
をさらに備える、請求項１に記載の方法。
【請求項１２】
前記モバイルデバイスの決定されたロケーションに応答してセキュリティ認証サーバに認証要求を送ることと、
前記セキュリティ認証サーバから認証応答を受信することと
をさらに備える、請求項１に記載の方法。
【請求項１３】
モバイルデバイスであって、
処理論理を含む１つまたは複数の制御ユニット
を備え、前記処理論理は、
前記モバイルデバイスにおいて、物体に関連するマーカーからの情報を決定するように構成された論理と、
前記決定された情報に従ってロケーション要求を生成するように構成された論理と、
前記生成されたロケーション要求に応答してロケーション情報を通信するように構成された論理と
を備える、モバイルデバイス。
【請求項１４】
セキュアユーザプレーンロケーション（ＳＵＰＬ）対応端末（ＳＥＴ）である、請求項１３に記載のモバイルデバイス。
【請求項１５】
前記マーカーは、無線周波数識別タグ、ニアフィールド通信タグ、多次元バーコード、およびクイックレスポンスコードのうちの少なくとも１つを備える、請求項１３に記載のモバイルデバイス。
【請求項１６】
ロケーション要求を生成するように構成された論理は、
符号化されたデータを決定するために前記マーカーからの前記情報を処理するように構成された論理と、
前記符号化されたデータに従ってＳＥＴ主導型ロケーション要求を生成するように構成された論理と
を備える、請求項１３に記載のモバイルデバイス。
【請求項１７】
前記符号化されたデータは、
ＳＵＰＬロケーションプラットフォーム（ＳＬＰ）サーバへの前記マーカーを識別するように構成された識別子と、
ＳＵＰＬセッションを開始するように構成されたコードと、
前記ＳＵＰＬセッションをサービスする前記ＳＬＰサーバのＩＰアドレスと
のうちの少なくとも１つを備える、請求項１６に記載のモバイルデバイス。
【請求項１８】
前記符号化されたデータは、
使用されるべきロケーション要求のモードと、
前記モバイルデバイスのロケーションを報告する先のサードパーティサーバのＩＰアドレスと
のうちの少なくとも１つをさらに備える、請求項１６に記載のモバイルデバイス。
【請求項１９】
ロケーション要求を生成するように構成された論理は、
符号化されたデータを取り出すために前記マーカーからの前記情報を処理するように構成された論理と、
前記符号化されたデータに従ってＳＵＰＬロケーションプラットフォーム（ＳＬＰ）サーバにロケーション要求ＳＭＳメッセージを送るように構成された論理と
をさらに備える、請求項１３に記載のモバイルデバイス。
【請求項２０】
ワイヤレスアプリケーションプロトコル（ＷＡＰ）プッシュ機構を介して前記ＳＬＰサーバからＳＵＰＬメッセージを受信するように構成された論理と、
ショートメッセージサービス（ＳＭＳ）機構を介して前記ＳＬＰサーバから前記ＳＵＰＬメッセージを受信するように構成された論理と
のうちの少なくとも１つをさらに備える、請求項１９に記載のモバイルデバイス。
【請求項２１】
ロケーション情報を通信するように構成された論理は、
ロケーション計算を助けるためにＳＬＰサーバから支援データを受信するように構成された論理と、
ロケーション計算を助けるために前記ＳＬＰサーバにロケーション情報を送るように構成された論理と
のうちの少なくとも１つを備える、請求項１３に記載のモバイルデバイス。
【請求項２２】
前記ロケーション情報は、
前記モバイルデバイスによって測定されたロケーション情報と、
前記モバイルデバイスによって計算されたロケーション情報と
のうちの少なくとも１つを備える、請求項２１に記載のモバイルデバイス。
【請求項２３】
前記ロケーション情報に少なくとも部分的に基づいて取得された前記モバイルデバイスのロケーションに応答してターゲット広告を受信するように構成された論理
をさらに備える、請求項１３に記載のモバイルデバイス。
【請求項２４】
前記モバイルデバイスの決定されたロケーションに応答してセキュリティ認証サーバに認証要求を送るように構成された論理と、
前記セキュリティ認証サーバから認証応答を受信するように構成された論理と
をさらに備える、請求項１３に記載のモバイルデバイス。
【請求項２５】
モバイルデバイスのロケーションを通信するためのシステムであって、
前記モバイルデバイスにおいて、物体に関連するマーカーからの情報を決定するための手段と、
前記決定された情報に従ってロケーション要求を生成するための手段と、
前記生成されたロケーション要求に応答してロケーション情報を通信するための手段と
を備える、システム。
【請求項２６】
ロケーション要求を生成するための手段は、
符号化されたデータを決定するために前記マーカーからの前記情報を処理するための手段と、
前記符号化されたデータに従ってＳＥＴ主導型ロケーション要求を生成するための手段と
を備える、請求項２５に記載のシステム。
【請求項２７】
ロケーション要求を生成するための手段は、
符号化されたデータを取り出すために前記マーカーからの前記情報を処理するための手段と、
前記符号化されたデータに従ってＳＵＰＬロケーションプラットフォーム（ＳＬＰ）サーバにロケーション要求ＳＭＳメッセージを送るための手段と
をさらに備える、請求項２５に記載のシステム。
【請求項２８】
ワイヤレスアプリケーションプロトコル（ＷＡＰ）プッシュ機構を介して前記ＳＬＰサーバからＳＵＰＬメッセージを受信するための手段と、
ショートメッセージサービス（ＳＭＳ）機構を介して前記ＳＬＰサーバから前記ＳＵＰＬメッセージを受信するための手段と
のうちの少なくとも１つをさらに備える、請求項２７に記載のシステム。
【請求項２９】
ロケーション情報を通信するための手段は、
ロケーション計算を助けるためにＳＬＰサーバから支援データを受信するための手段と、
ロケーション計算を助けるために前記ＳＬＰサーバにロケーション情報を送るための手段と
のうちの少なくとも１つを備える、請求項２５に記載のシステム。
【請求項３０】
前記ロケーション情報に少なくとも部分的に基づいて取得された前記モバイルデバイスのロケーションに応答してターゲット広告を受信するための手段
をさらに備える、請求項２５に記載のシステム。
【請求項３１】
前記モバイルデバイスの決定されたロケーションに応答してセキュリティ認証サーバに認証要求を送るための手段と、
前記セキュリティ認証サーバから認証応答を受信するための手段と
をさらに備える、請求項２５に記載のシステム。
【請求項３２】
１つまたは複数のコンピュータシステムが実行するための命令を記憶する非一時的媒体であって、前記命令は、
モバイルデバイスにおいて、物体に関連するマーカーからの情報を決定するための命令と、
前記決定された情報に従ってロケーション要求を生成するための命令と、
前記生成されたロケーション要求に応答してロケーション情報を通信するための命令と
を備える、非一時的媒体。
【発明の詳細な説明】
【技術分野】
【０００１】
関連出願の相互参照
[0001]本出願は、本出願の譲受人に譲渡され、その全体が参照により本明細書に組み込まれる、２０１３年６月２６日に出願された「Communication of Mobile Device Locations」と題する米国出願第１３／９２８，１３６号の利益を主張する。
【０００２】
[0002]本開示は、ワイヤレス通信の分野に関する。特に、本開示は、モバイルデバイスロケーションを通信するための方法、装置、およびシステムに関する。
【背景技術】
【０００３】
[0003]セルラーまたは他のワイヤレス通信デバイスなどのモバイルプラットフォームの正確な位置情報の使用が通信業界において普及しつつある。全地球測位システムなどの衛星測位システム（ＳＰＳ：satellite positioning system）が、ワイヤレスモバイルプラットフォーム位置決定を行うことに対する手法を提供する。ＳＰＳユーザは、地球の周りの軌道中の衛星ビークル（ＳＶ：satellite vehicle）から獲得される情報を通して、位置と速度と時刻とを含む正確なナビゲーション情報を導出することができる。ＳＶから受信される信号は一般に弱い。したがって、モバイルプラットフォームの位置を決定するために、ＳＰＳ受信機は、これらの弱い信号を受信し、それらによって表される情報を解釈するために十分に敏感でなければならない。
【０００４】
[0004]クイックレスポンス（ＱＲ：Quick Response）コードまたは同様のもの、あるいは１Ｄまたは２Ｄバーコードなどのマーカーが普及しつつあり、商品に印刷されるかまたは対象物に取り付けられる様々な形態でますます利用可能である。したがって、モバイルデバイスロケーションを通信するのを支援するためにそのようなマーカーを使用することが望ましい。
【発明の概要】
【０００５】
[0005]本開示は、モバイルデバイスロケーションを通信するための方法、装置、およびシステムに関する。本開示の一実施形態によれば、モバイルデバイスのロケーションを通信する方法は、モバイルデバイスにおいて、物体に関連するマーカーからの情報を決定することと、決定された情報に従ってロケーション要求を生成することと、生成されたロケーション要求に応答してロケーション情報を通信することとを備える。
【０００６】
[0006]本開示の別の実施形態では、モバイルデバイスは、処理論理を含む制御ユニットを備え、処理論理は、モバイルデバイスにおいて、物体に関連するマーカーからの情報を決定するように構成された論理と、決定された情報に従ってロケーション要求を生成するように構成された論理と、生成されたロケーション要求に応答してロケーション情報を通信するように構成された論理とを備える。
【０００７】
[0007]本開示のまた別の実施形態では、モバイルデバイスのロケーションを通信するためのシステムは、モバイルデバイスにおいて、物体に関連するマーカーからの情報を決定するための手段と、決定された情報に従ってロケーション要求を生成するための手段と、生成されたロケーション要求に応答してロケーション情報を通信するための手段とを備える。
【０００８】
[0008]本開示のまた別の実施形態では、非一時的媒体は、１つまたは複数のコンピュータシステムが実行するための命令を記憶し、命令は、モバイルデバイスにおいて、物体に関連するマーカーからの情報を決定するための命令と、決定された情報に従ってロケーション要求を生成するための命令と、生成されたロケーション要求に応答してロケーション情報を通信するための命令とを備える。
【０００９】
[0009]本開示の上述の特徴および利点、ならびに本開示の追加の特徴および利点は、以下の図面とともに本開示の実施形態の詳細な説明を読めば、より明確に理解できよう。
【図面の簡単な説明】
【００１０】
【図１】[0010]本開示の態様による、モバイルデバイスロケーションを通信するためのシステムを示す図。
【図２】[0011]本開示の態様による、ＱＲコード（登録商標）の形態のマーカーを示す図。
【図３】[0012]本開示の態様による、セキュアユーザプレーンロケーション対応端末（secure user plane location enabled terminal）によってモバイル発信ロケーション要求を開始する方法を示す図。
【図４】[0013]本開示の態様による、セキュアユーザプレーンロケーション対応端末によってモバイル着信ロケーション要求を開始する方法を示す図。
【図５】[0014]本開示の態様による、モバイルデバイスの例示的なブロック図。
【図６】[0015]本開示の態様による、モバイルデバイスロケーションの決定を支援するためのサーバのブロック図。
【図７】[0016]本開示の態様による、モバイルデバイスのロケーションを通信することの流れ図。
【図８】[0017]本開示の態様による、ターゲットマーケティングメッセージを通信する方法を示す図。
【図９】[0018]本開示の態様による、セキュリティ認証を実行する方法を示す図。
【発明を実施するための形態】
【００１１】
[0019]モバイルデバイスロケーションを通信するための方法、装置、およびシステムの実施形態を開示する。以下の説明は、いかなる当業者でも本開示を製作および使用できるように提示される。特定の実施形態および適用例の説明は、例として提供されるにすぎない。本明細書で説明する例の様々な修正および組合せは当業者には容易に明らかであり、本明細書で定義する一般原理は、本開示の趣旨および範囲から逸脱することなく他の例および適用例に適用され得る。したがって、本開示は、説明および図示する例に限定されるものではなく、本明細書で開示する原理および特徴に一致する最も広い範囲を与えられるべきである。「例示的」または「例」という単語は、本明細書では、「例、事例、または例示の働きをすること」を意味するために使用する。「例示的」または「例」として本明細書で説明するいかなる態様または実施形態も、必ずしも他の態様または実施形態よりも好適または有利なものと解釈すべきではない中である。
【００１２】
[0020]図１に、本開示の態様による、モバイルデバイスロケーションを通信するためのシステムを示す。図１に示されているように、モバイルデバイス１０２は、物体１０１からのマーカー１０３を走査するように構成され得る。この例ではＱＲコードであるマーカー１０３を受信すると、モバイルデバイス１０２は、符号化されたデータを決定するためにマーカーを処理し、通信ネットワーク１０５を介して測位支援サーバ１０４と通信するために符号化されたデータを使用し得る。モバイルデバイス１０２は、マーカー１０３から取り出された情報に少なくとも部分的に基づいて測位支援サーバ１０４および／またはマーカーエージェンシーサーバ１０６と通信するために測位プロシージャを開始するように構成され得る。測位支援サーバ１０４は、マーケット１０３から取り出された情報に基づいて測位支援を与えるように構成され得、マーカーエージェンシーサーバ１０６と通信するように構成され得る。説明を簡単にするために、１つの製品１０１、それの関連するマーカー１０３、およびマーカーエージェンシーサーバ１０６のみが図１に示されている。他の実施形態では、異なる製品、たとえば、雑誌、ソーダ缶などは、１つまたは複数の異なるマーカーを含み得、異なるマーカーは、異なるマーカーエージェンシーサーバによって生成、監視、および維持され得る。いくつかの実施形態では、マーカーエージェンシーサーバ１０６は、ワイヤードまたはワイヤレス接続を介して通信ネットワーク１０５に結合され、通信ネットワーク１０５上で、たとえば、測位支援サーバ１０４、モバイルデバイス１０２および／あるいは１つまたは複数の他のデバイスもしくはエンティティと通信するように構成される。
【００１３】
[0021]本開示の態様によれば、マーカー１０３は、スープの缶などの物体１０１に取り付けられ得る。マーカーはまた、建築物または他のアクセス可能ロケーションへの入口または案内板標などにおいて、モバイルデバイス１０２にとってアクセス可能であるロケーションに取り付けられ得る。いくつかの実装形態では、マーカー１０３は、データ符号化の能力で構成された視覚物体であり得、たとえば、プリントフォーマットでの１Ｄ、２Ｄ、または３Ｄマトリックスコードを含む。図１に示されたマーカー１０３は、日本の会社Ｄｅｎｓｏ−Ｗａｖｅによって作成されるマトリックスコードであるＱＲコードの形態である。多次元バーコード、またはデータマトリックスコード（Data Matrix code）、セマコード（Semacode）、マキシコード（Maxicode）、もしくはアズテックコード（Aztec Code）などの光データマトリックススタイルコードを含む、他のタイプのバーコード、マトリックスコードあるいはデータの機械可読表現が必要に応じて使用され得る。これらのマーカーは、それらの知られている構造特性（たとえば、ＱＲコードにおけるファインダーパターン）に基づいて検出され、次いで復号され得る。いくつかの他の実装形態では、マーカー１０３は、限定はしないが、１つまたは複数のアコースティックバーコード、無線周波数識別（ＲＦＩＤ：radio frequency identification）タグ、およびニアフィールド通信（ＮＦＣ：near field communication）タグを含む他の形態で実装され得る。
【００１４】
[0022]本開示の態様によれば、ネットワーク１０５は、ＧＳＭ（登録商標）、ＷＣＤＭＡ（登録商標）、ＬＴＥ、ＣＤＭＡ  １ｘＲＴＴ、ＣＤＭＡ  ＥｖＤＯ、ＷｉＦｉ（登録商標）、ＷｉＭａｘ（登録商標）またはいくつかの他のワイヤレス技術をサポートするワイヤレスネットワークであり得る。ネットワーク１０５はまた、ワイヤラインネットワークであり得る（たとえば、ＤＳＬまたはパケットケーブルアクセスをサポートし得る）。モバイルデバイス１０２、測位支援サーバ１０４およびマーカーエージェンシーサーバ１０６は、ネットワーク１０５の一部、または図１に示されていないいくつかの他のネットワークの一部であり得、たとえば、送信タイミング、送信電力などの情報を更新することなどのために、ネットワーク１０５を介して通信することが可能であり得る。モバイルデバイス１０２がネットワーク１０５に接続されたとき、ネットワーク１０５の残りとのバックホールシグナリングおよびデータ／ボイストランスポートは、ワイヤレス手段（たとえば、マイクロ波、衛星、ならびにネットワーク１０５に属する固定基地局によってサポートされるワイヤレス技術）によって達成され得る。本開示の態様によれば、測位支援サーバ１０４は測位サービスプロバイダによって動作させられ得、マーカーエージェンシーサーバ１０６は、マーカー１０３がその上に取り付けられ得る製品１０１の製造業者によって動作させられ得る。他の実装形態では、測位支援サーバ１０４およびマーカーエージェンシーサーバ１０６は同じ企業体によって動作させられ得、これらの２つのサーバは単一のサーバとして実装され得る。
【００１５】
[0023]図２に、本開示の態様による、ＱＲコードの形態のマーカーを示す。図２に示された例示的なＱＲコード２００では、位置および整合を決定するために使用され得る認識可能なパターン、たとえば、３つのコーナー中の大きい正方形２０２、および１つまたは複数の小さい正方形２０４が含まれている。ＱＲコード中のこれらのパターンは、ＱＲコードを検出するために使用され、ＱＲベースの相対測位のために、すなわち、ＱＲコードに関して（モバイルデバイス上のカメラであり得る）ＱＲリーダーの位置および配向（姿勢）を決定するために使用される。ＱＲコードは、ＱＲコードの符号化されたコンテンツを含み得る、正方形（または異なる実施形態では他のパターン）の形態での符号化されたデータをさらに含み得る。ＱＲコード中の符号化されたデータは、（たとえば、ＳＵＰＬロケーションプラットフォーム（ＳＬＰ：SUPL location platform）サーバなどのロケーションサーバへの）マーカーを識別するように構成された識別子を含み得る。いくつかの実施形態では、ＱＲコードおよび／または識別子は一意である（たとえば、ＱＲコードは、すべての他のＱＲコードとは異なるか、または場合によってはその特定のコードを識別し得る）か、あるいはＱＲコードは、カテゴリー、またはＱＲコードのセットを識別し得る（たとえば、豆の各缶が共通ＱＲコードを有し、スープの各缶が共通ＱＲコードを有するが、スープＱＲコードと豆ＱＲとは異なる）。ＱＲコードは、ロケーションセッション（たとえば、ＳＵＰＬセッション）、および／またはロケーションセッションをサービスするために使用され得るロケーションサーバのＩＰアドレスまたは他のアドレス（たとえば、ＳＵＰＬセッションをサービスするＳＬＰサーバのアドレス）を開始するかまたは場合によってはトリガするように構成され得る。ＱＲコード中の符号化されたデータは、ＵＲＬ、商品情報、建築物情報、および／または他の情報をさらに含み得る。いくつかの実施形態では、ＱＲコードは、使用すべきロケーション要求のモード、サードパーティサーバのアドレスまたはサーバ識別情報（たとえば、エージェンシーサーバ１０６）または他の情報を含み得る。さらなる例について以下で説明する。ＱＲコードはまた、ＱＲコードのロケーションを含み得る。
【００１６】
[0024]本開示の態様によれば、図３および図４で説明するＳＵＰＬ実施形態は、例として与えられる。他の実施形態では、ＧＳＭ（モバイル用グローバルシステム（Global System for Mobile））ネットワークのためのＲＲＬＰ（無線リソースロケーションプロトコル）位置プロトコル、ＵＭＴＳ（ユニバーサルモバイルテレコミュニケーションズシステム）ネットワークのためのＲＲＣ（無線リソース制御）位置プロトコル、およびＬＴＥ（ロングタームエボリューション（long-term evolution））ネットワークのためのＬＴＥ位置プロトコルなど、他のロケーションセッションが採用され得る。図３に、本開示の態様による、セキュアユーザプレーンロケーション対応端末によってモバイル発信ロケーション要求を開始する方法を示す。図３に示された例では、セキュアユーザプレーンロケーション（ＳＵＰＬ：secure user plane location）対応端末（ＳＥＴ：SUPL enabled terminal）３０２は、図１のモバイルデバイス１０２を実装するために使用され得、ＳＵＰＬロケーションプラットフォーム（ＳＬＰ）サーバ３０４は、図１の測位支援サーバ１０４を実装するために使用され得る。ＳＥＴ３０２は、ＳＬＰサーバ３０４と通信するように構成され得る。動作のこの例示的なフローでは、ＳＥＴ３０２は、物体３０６上に印刷されるかまたは取り付けられるマーカー（たとえば、ＱＲコード）を走査し、マーカーは、ＳＵＰＬロケーション要求を開始するようにＳＥＴ３０２をトリガする。
【００１７】
[0025]本開示の態様によれば、ＡＰＩ拡張は、ＱＲコードなどのマーカーが走査されるときなどに作成され得、それにより、ＳＥＴ３０２に、モバイル発信ロケーション要求（ＭＯ−ＬＲ：mobile originated location request）など、ＱＲコードデータにおいて指定されたＳＬＰサーバ３０４へのロケーション要求のＳＵＰＬセッションを開始させる。次いで、ＳＬＰサーバ３０４はＳＥＴ３０２に支援応答を送り得る。支援応答を受信すると、ＳＥＴ３０２は、ＳＬＰサーバ３０４にＧＰＳ測定値または他の測位測定値を送り得る。たとえば、他の測位測定値は、ＷｉＦｉアクセスポイント、基地局、または他のモバイルデバイスに関して取得され得る。いくつかの実施形態では、ＱＲコードは、ロケーションを導出するために使用され得るロケーションまたはデータを含む。ＳＥＴ３０２は、（たとえば、移動局支援モードでは）ＳＬＰサーバ３０４に測位測定値を送ることによってそれのロケーションの決定を支援するか、または（移動局ベースモードでは）それのロケーションを計算するために測位測定値の何らかの組合せを使用し得る。移動局支援モードのシナリオでは、ＳＬＰサーバ３０４はＳＥＴ３０２のロケーションを計算する。ＳＬＰサーバ３０４は、次いで、ＱＲコードを生成したエンティティであり得るサードパーティサーバ、たとえば、マーカーエージェンシーサーバ３０８に、ＳＥＴ３０２から受信されたロケーション結果、またはＳＥＴ３０２の計算されたロケーションと、ロケーション上のタイムスタンプとを送り得る。ＳＬＰサーバ３０４は、随意に、計算されたロケーションをＳＥＴ３０２に返し得る。
【００１８】
[0026]図４に、本開示の態様による、セキュアユーザプレーンロケーション対応端末によってモバイル着信ロケーション要求を開始する方法を示す。図４に示された例では、セキュアユーザプレーンロケーション（ＳＵＰＬ）対応端末（ＳＥＴ）４０２は、図１のモバイルデバイス１０２を実装するために使用され得、ＳＵＰＬロケーションプラットフォーム（ＳＬＰ）サーバ４０４は、図１の測位支援サーバ１０４を実装するために使用され得る。物体４０６からの（ＱＲコードなどの）マーカーを走査した後に、ＳＥＴ４０２は、インターネット（または他のネットワーク）接続がない状況では、ロケーション要求を含むショートメッセージサービス（ＳＭＳ：short message service）メッセージをＳＬＰサーバ４０４に送るように構成され得る。ＳＥＴ４０２からロケーション要求を受信した後に、ＳＬＰサーバ４０４は、モバイル着信ロケーション要求（ＭＴ−ＬＲ：mobile terminated location request）など、ＳＵＰＬセッションを開始するために、ＳＥＴ４０２にＳＭＳ  ＩＮＩＴまたはＷＡＰプッシュを送る。ＳＥＴ４０２は、次いで、インターネットまたは別のネットワーク上でＳＬＰサーバ４０４とのＳＵＰＬセッションを開き得る。次いで、ＳＬＰサーバ４０４はＳＥＴ４０２に支援応答を送り得る。ＳＥＴ４０２は、（移動局支援モードでは）ＳＬＰサーバ４０４にＧＰＳ測定値または他の測位測定値を送るか、または（移動局ベースモードでは）ＳＬＰサーバ４０４にロケーション結果を送り得る。たとえば、他の測位測定値は、ＷｉＦｉアクセスポイント、基地局、または他のモバイルデバイスに関して取得され得る。移動局支援モードのシナリオでは、ＳＬＰサーバ４０４はＳＥＴ４０２のロケーションを計算する。ＳＬＰサーバ４０４は、次いで、ＱＲコードを生成したエンティティであり得るサードパーティサーバ、たとえば、マーカーエージェンシーサーバ４０８に、ＳＥＴ４０２から受信されたロケーション結果、またはＳＥＴ４０２の計算されたロケーションと、ロケーション上のタイムスタンプとを送ることができる。ＳＬＰサーバ４０４は、随意に、計算されたロケーションをＳＥＴ４０２に返し得る。
【００１９】
[0027]本開示の態様によれば、ＱＲコード（または異なる実施形態によれば、別のタイプのマーカー）は、ａ）（どのＱＲコードが走査されているかのトラッキングを可能にするための）ＳＬＰサーバに報告され得るＱＲコードのＩＤ、ｂ）ＳＵＰＬセッションを開始するようにＱＲコード走査ソフトウェアをトリガするコード、ｃ）使用すべきＳＬＰサーバのＤＮＳまたはＩＰアドレス、ｄ）使用すべきロケーション要求のモード（たとえば、ＭＯ−ＬＲまたはＭＴ−ＬＲ）、および／またはｅ）ロケーションが報告され得る先のサードパーティサーバのロケーションのうちの１つまたは複数を含み得る。
【００２０】
[0028]図５に、本開示の態様による、モバイルデバイスの例示的なブロック図を示す。図５に示されているように、モバイルデバイス５００は、ＱＲコードおよびバーコードなどのマーカー（たとえば、マーカー１０３）の画像をキャプチャするように構成され得るカメラ１０８を含み得る。モバイルデバイス５００はまた、ＲＦＩＤタグ、ＮＦＣタグ、および／または他のタイプのマーカーからデータを受信するように構成され得るセンサー１０９を含み得る。モバイルデバイス５００とともに使用され得るセンサーの例としては、ＲＦＩＤセンサー、ＮＦＣセンサー、加速度計、水晶センサー、ジャイロ、線形加速度計として使用される微小電気機械システム（ＭＥＭＳ）センサー、マイクロフォンならびに磁力計がある。本開示の態様によれば、モバイルデバイス５００は、図１のモバイルデバイス１０２、図３のＳＥＴ３０２、図４のＳＥＴ４０２、図８のモバイルデバイス８０２、および／または図９のモバイルデバイス９０２を実装するように構成され得る。
【００２１】
[0029]モバイルデバイス５００はまた、画像を表示することが可能なディスプレイ１１２を含むユーザインターフェース１１０を含み得る。ユーザインターフェース１１０はまた、キーパッドまたは（１つまたは複数の）タッチセンサー１１４、あるいはユーザが情報をモバイルデバイス５００に入力することができる他の入力デバイスを含み得る。所望される場合、キーパッド１１４は、仮想キーパッドをタッチセンサーとともにディスプレイ１１２に組み込むことによって交換されるか、または組み込むことに加えて含まれ得る。ユーザインターフェース１１０はまた、たとえば、モバイルデバイス５００がセルラー電話である場合、マイクロフォン１１６と１つまたは複数のスピーカー１１８とを含み得る。モバイルデバイスは、ネットワーク１０５および他のシステムおよび／またはより多くの他のデバイスのうちの１つ、たとえば、本明細書で図示または説明するデバイスのいずれかと通信するためのワイヤードならびに／またはワイヤレス受信機および送信機（図示せず）をさらに含み得る。もちろん、モバイルデバイス５００は、本開示に関係しない他の構成要素を含み得る。
【００２２】
[0030]モバイルデバイス５００は、他の所望の特徴とともに、カメラ１０８および／またはセンサー１０９、ならびにユーザインターフェース１１０に接続され、それらと通信する、制御ユニット１２０をさらに含む。制御ユニット１２０は、１つまたは複数のプロセッサ１２２と関連するメモリ／ストレージ１２４とによって与えられ得る。制御ユニット１２０はまた、ソフトウェア１２６、ならびにハードウェア１２８、およびファームウェア１３０を含み得る。制御ユニット１２０は、マーカー、たとえば、マーカー１０３から取得された情報を復号／決定するように構成されたマーカーデコーダモジュール１３２を含む。制御ユニット１２０は、モバイルデバイスロケーションの決定を支援するように構成された測位決定モジュール１３４をさらに含む。マーカーデコーダモジュール１３２および測位決定モジュール１３４は、明快のために要素１２２〜１３０とは別個に示されているが、たとえば、ソフトウェア１２６および／またはファームウェア１３０中の命令に基づいて、要素１２２〜１３０のうちのいずれか１つまたは複数において組み合わせられるか、および／または実装され得る。制御ユニット１２０が、モバイルデバイスロケーションを通信する方法を実装するように構成され得ることに留意されたい。いくつかの実装形態では、制御ユニット１２０は、図１で説明したモバイルデバイス１０２、または図３および図４で説明したＳＥＴ３０２および４０２の機能を、それぞれ実装するように構成され得る。図３に示された例の場合、制御ユニット１２０およびワイヤード／ワイヤレス送信機（図示せず）は、ＳＵＰＬセッション（ＭＯ−ＬＲ）を開始し、ＳＥＴ３０２からＳＬＰサーバ３０４に、（ＭＳ支援モードでは）測定値を送るか、または（ＭＳベースモードでは）ロケーションを送るように構成され得る。制御ユニット１２０およびワイヤード／ワイヤレス受信機（図示せず）は支援応答を受信するか、または随意に、ＳＬＰサーバ３０４からＳＥＴ３０２に返されたロケーションを受信するように構成され得る。同様に、図４に示された例の場合、制御ユニット１２０およびワイヤード／ワイヤレス送信機（図示せず）は、ＳＥＴ４０２からＳＬＰサーバ４０４に、（１つまたは複数の）ロケーション要求ＳＭＳメッセージを送るか、（ＭＳ支援モードでは）測定値を送るか、または（ＭＳベースモードでは）ロケーションを送るように構成され得る。制御ユニット１２０およびワイヤード／ワイヤレス受信機（図示せず）は、（ＭＴ−ＬＲモードでは）ＷＡＰプッシュまたはＳＭＳを受信し、支援応答を受信し、随意に、ＳＬＰサーバ４０４からＳＥＴ４０２に返されるロケーションを受信するように構成され得る。
【００２３】
[0031]図６に、本開示の態様による、モバイルデバイスロケーションの決定を支援するためのサーバのブロック図を示す。図６に示されているように、サーバ６００は、１つまたは複数のプロセッサ６０２と、ネットワークインターフェース６０４と、測位決定エンジン６０６と、随意のマーカーデータベース６０８と、メモリ６１０とを含む。本開示の態様によれば、サーバ６００は、図１の位置支援サーバ１０４、図３のＳＬＰサーバ３０４、図４のＳＬＰサーバ４０４、図８のターゲットマーケティングサーバ８０４、および／または図９のセキュリティ認証サーバ９０４を実装するように構成され得る。１つまたは複数のプロセッサ６０２は、サーバ６００の動作を制御するように構成され得る。ネットワークインターフェース６０４は、他のサーバ、コンピュータ、およびモバイルデバイスと通信するように構成され得るネットワーク（たとえば、ネットワーク１０５）と通信するように構成され得る。測位決定エンジン６０６は、モバイルデバイスロケーションの決定を支援する方法を実装するように構成され得る。たとえば、測位決定エンジン６０６は、図１で説明した測位支援サーバ１０４、または図３および図４で説明したＳＬＰサーバ３０４および４０４の機能を、それぞれ実装するように構成され得る。図３に示された例の場合、プロセッサ６０２およびネットワークインターフェース６０４は、ＳＥＴ３０２から送られた、（ＭＯ−ＬＲモードでは）ＳＥＴ主導型ＳＵＰＬセッションを受信し、（ＭＳ支援モードでは）測度を受信し、（ＭＳベースモードでは）ロケーションを受信するように構成され得る。プロセッサ６０２およびネットワークインターフェース６０４は、ＳＥＴ３０２に支援応答を送り、決定されたロケーション情報を随意に送るように構成され得る。同様に、図４に示された例の場合、プロセッサ６０２およびネットワークインターフェース６０４は、ＳＥＴ４０２から送られた、（１つまたは複数の）ロケーション要求ＳＭＳメッセージを受信し、（ＭＳ支援モードでは）測定値を受信し、（ＭＳベースモードでは）ロケーションを受信するように構成され得る。プロセッサ６０２およびネットワークインターフェース６０４は、ＳＥＴ４０２に、（ＭＴ−ＬＲモードでは）ＷＡＰプッシュまたはＳＭＳを送り、支援応答を送り、決定されたロケーション情報を随意に送るように構成され得る。随意のマーカーデータベース６０８は、異なるエージェンシーによって生成されたマーカーを記憶するように構成され得る。メモリ６１０は、サーバ６００のためのプログラムコードと命令とデータとを記憶するように構成され得る。いくつかの実施形態では、図６に示された要素のうちの１つまたは複数は、追加の構成要素または要素に組み合わせられるかまたは分離され得る。たとえば、測位決定エンジン６０６および／またはマーカーデータベースは、プロセッサ６０２および／またはメモリ６１０において部分的にまたは完全に実装され得る。
【００２４】
[0032]図７に、本開示の態様による、モバイルデバイスのロケーションを通信することの流れ図を示す。本開示のいくつかの態様によれば、図７で説明する機能は、図５の制御ユニット１２０によって実装され得る。いくつかの実装形態では、機能は、マーカーデコーダモジュール１３２と測位決定モジュール１３４とによって実行される機能を含む、上記で説明したモバイルデバイスの様々な機能を実行するために、プロセッサ１２２、ソフトウェア１２６、ハードウェア１２８、および／またはファームウェア１３０、またはこれらのブロックの組合せによって実行され得る。
【００２５】
[0033]ブロック７０２において、制御ユニット１２０は、たとえば、カメラ１０８および／あるいは１つまたは複数の他のセンサー１０９、１１０を使用して、モバイルデバイスにおいて、物体に関連するマーカー（たとえば、メーカー１０３）からの情報を決定するように構成され得る。ブロック７０４において、制御ユニット１２０は、決定された情報に従ってロケーション要求、たとえば、図３および／または図４に示されたセッション開始またはロケーション要求を生成するように構成され得る。ブロック７０６において、制御ユニット１２０は、生成されたロケーション要求に応答してロケーション情報を通信するように構成され得る。たとえば、制御ユニット１２０は、（ＭＳ支援モードでは）ＳＬＰサーバに測定値を送るか、または（ＭＳベースモードでは）ＳＬＰサーバにロケーション情報を送るように構成され得る。ブロック７０８に示されているように、モバイルデバイスは、セキュアユーザプレーンロケーション（ＳＵＰＬ）対応端末（ＳＥＴ）を備え得、マーカーは、無線周波数識別タグ、ニアフィールド通信タグ、多次元バーコード、およびクイックレスポンスコードのうちの少なくとも１つを備え得る。
【００２６】
[0034]ブロック７０４において実行される方法は、ブロック７１０および７１２において実行される方法を含み得る。ブロック７１０において実行される方法は、ブロック７１６および７１８で説明した特徴をさらに含み得、ブロック７１２において実行される方法は、ブロック７２０において実行される方法をさらに含み得る。
【００２７】
[0035]ブロック７１０において、制御ユニット１２０は、符号化されたデータを決定するために情報を処理し、符号化されたデータに従ってＳＥＴ主導型ロケーション要求を生成するように構成され得る。ブロック７１６において、符号化されたデータは、ＳＵＰＬロケーションプラットフォーム（ＳＬＰ）サーバへのマーカーを識別するように構成された識別子と、ＳＵＰＬセッションを開始するように構成されたコードと、ＳＵＰＬセッションをサービスするＳＬＰサーバのＩＰアドレスとのうちの少なくとも１つを備え得る。ブロック７１８において、符号化されたデータは、使用されるべきロケーション要求のモードと、モバイルデバイスのロケーションを報告する先のサードパーティサーバのＩＰアドレスとのうちの少なくとも１つをさらに備え得る。
【００２８】
[0036]ブロック７１２において、制御ユニット１２０は、符号化されたデータを取り出すために情報を処理し、符号化されたデータに従ってＳＬＰサーバにロケーション要求ＳＭＳメッセージを送るように構成され得る。ブロック７２０において、制御ユニット１２０は、ワイヤレスアプリケーションプロトコル（ＷＡＰ：Wireless Application Protocol）プッシュ機構を介してＳＬＰサーバからＳＵＰＬメッセージを受信するか、および／またはショートメッセージサービス（ＳＭＳ）機構を介してＳＬＰサーバからＳＵＰＬメッセージを受信するように構成され得る。
【００２９】
[0037]ブロック７０６において実行される方法は、ブロック７１４において実行される方法を含み得、ブロック７１４において実行される方法は、ブロック７２２で説明する特徴をさらに含み得る。ブロック７１４において、制御ユニット１２０は、ロケーション計算を助けるためにＳＬＰサーバから支援データを受信し、および／またはロケーション計算を助けるためにＳＬＰサーバにロケーション情報を送るように構成され得る。ブロック７２２において、ロケーション情報は、モバイルデバイスによって測定されたロケーション情報と、モバイルデバイスによって計算されたロケーション情報とのうちの少なくとも１つを備え得る。
【００３０】
[0038]本開示の態様によれば、制御ユニット１２０は、ロケーション情報に少なくとも部分的に基づいて取得されたモバイルデバイスのロケーションに応答してターゲット広告を受信するように構成され得る。追加としてまたは代替として、制御ユニット１２０は、モバイルデバイスの決定されたロケーションに応答してセキュリティ認証サーバに認証要求を送り、セキュリティ認証サーバから認証応答を受信するように構成され得る。
【００３１】
[0039]図８に、本開示の態様による、ターゲットマーケティングメッセージを通信する方法を示す。図８に示された例示的な適用例では、モバイルデバイス８０２は、雑誌８０６からのマーカー８０８および８１０、およびソーダ缶８１２からのマーカー８１４など、異なる物体からのマーカーを走査するように構成され得る。図１に示された例と同様に、モバイルデバイス８０２は、ターゲットマーケティング適用例におけるモバイルデバイス１０２と同様の機能を実行するように構成され得、そのような実施形態では、マーカー８０８、８１０、および８１４はマーカー１０３の異なる表現を示し、ターゲットマーケティングサーバ８０４は、図１の測位支援サーバ１０４および／またはマーカーエージェンシーサーバ１０６として、図３のＳＬＰサーバ３０４および／またはマーカーエージェンシーサーバ３０８として、あるいは図４のＳＬＰサーバ４０４および／またはマーカーエージェンシーサーバ４０８として機能するように構成され得る。図３および／または図４に関連して上記で説明した方法を使用してモバイルデバイス８０２のロケーションを決定すると、ターゲットマーケティングサーバ８０４は、モバイルデバイス８０２にターゲット広告を送り得る。
【００３２】
[0040]図８に示された例では、開示する手法は、広告主が、ユーザのロケーション、およびいくつかの実施形態では、（ＱＲコードなどの）マーカーが走査される時間を取得することを可能にするために適用され得、次いで、それは、消費者行動分析のための情報を集めるために使用され得る。いくつかの実装形態では、広告は、たとえば、ユーザのロケーション、（たとえば、コードが配設された製品を示し得る）走査されているマーカー、および／あるいは個人またはグループ消費者行動に基づいてターゲットにされ得る。いくつかの実施形態では、ある製品についての同じマーカー（たとえばＱＲコード）が、１つのウェブサイトＵＲＬをもつ異なるロケーション中で使用され得るが、ウェブページ上でサービスされるデータは、報告されるマーカーのロケーションに応じて異なり得、報告されるマーカーのロケーションは、報告されるモバイルデバイスのロケーションを表す。別の例では、走査されているマーカーのロケーションに基づいて、マーカーがその上に取り付けられた製品に関する追加情報が示され得る。さらに、関係する製品に関する情報は、同じくまたは代わりに示され得る。さらに、ゲームまたは他のコンテンツはまた、走査されるマーカーおよび／またはロケーションに基づいてアクセスされ得る。いくつかの実施形態では、ロケーション、走査される製品、アクセス時間、アクセスの頻度、および／または他の情報などのデータは、消費者行動の分析を実行するために収集され得る。そのようなデータは、送信される広告または他の情報もしくはコンテンツと組み合わせて、あるいはそれらがない場合収集され得る。そのようなデータは、たとえば、どのように／いつ製品が閲覧されるかを決定する、あるいは消費者関心またはマーケティングの効果を測定するために、あるいは他の理由のために、（たとえば、マーカーエージェンシーサーバ１０６を担当する）マーカーエージェンシーおよび／または他のエンティティによって使用され得る。
【００３３】
[0041]図９に、本開示の態様による、セキュリティ認証を実行する方法を示す。図９に示された例示的な適用例では、モバイルデバイス９０２は、錠９０６からＱＲコード９０８、金庫９１０からＮＦＣタグ９１２、およびコンピュータ９１４からＲＦＩＤタグ９１６など、異なる物体からマーカーを受信するように構成され得る。図１に示された例と同様に、モバイルデバイス９０２は、セキュリティ認証適用例におけるモバイルデバイス１０２と同様の機能を実行するように構成され得、マーカー９０８、９１２、および９１６は、そのような実施形態におけるマーカー１０３の異なる表現を示し、セキュリティ認証サーバ９０４は、図１の測位支援サーバ１０４および／またはマーカーエージェンシーサーバ１０６として機能するように構成され得る。図３および／または図４に関連して上記で説明した方法を使用してモバイルデバイス９０２のロケーションを決定すると、モバイルデバイスは、セキュリティ認証サーバ９０４に認証要求を送り、認証サーバ９０４から認証応答を受信し得る。次いで、ユーザは、錠９０６、金庫９１０、およびコンピュータ９１４など、異なるセキュアなデバイスへのアクセスを獲得するために認証応答を使用し得る。図９に示された例では、開示する手法は、モバイルフォンユーザが請求されるロケーション中に実際にあることを検証するために使用され得る。たとえば、ＱＲコードは、セキュアな錠９０６上に固定されるか、または戸口の横に固定され得る。セキュアなドアは、走査されたＱＲコードがドアのロケーションにあるものとして確認され得る場合、ロック解除され得る。そのような実施形態では、ＱＲコードまたは他のマーカーは、認証要求またはプロシージャをトリガするように構成された情報または命令を含み得る。いくつかの実施形態では、図３および／または図４に関して上記で説明したロケーション要求またはセッションは、認証要求またはプロシージャの一部として実行される。
【００３４】
[0042]少なくとも段落［００４２］〜［００４４］、図３〜図７、およびそれらの対応する説明は、モバイルデバイスにおいて、物体に関連するマーカーからの情報を決定するための手段と、決定された情報に従ってロケーション要求を生成するための手段と、生成されたロケーション要求に応答してロケーション情報を通信するための手段と、符号化されたデータを決定するために情報を処理するための手段と、符号化されたデータに従ってＳＥＴ主導型ロケーション要求を生成するための手段と、符号化されたデータを取り出すために情報を処理するための手段と、符号化されたデータに従ってＳＬＰサーバにロケーション要求ＳＭＳメッセージを送るための手段と、ワイヤレスアプリケーションプロトコル（ＷＡＰ）プッシュ機構を介してＳＬＰサーバからＳＵＰＬメッセージを受信するための手段と、ショートメッセージサービス（ＳＭＳ）機構を介してＳＬＰサーバからＳＵＰＬメッセージを受信するための手段と、ロケーション計算を助けるためにＳＬＰサーバから支援データを受信するための手段と、ロケーション計算を助けるためにＳＬＰサーバにロケーション情報を送るための手段とを与えることに留意されたい。段落［００４２］〜［００４４］、図３〜図９、およびそれらの対応する説明は、ロケーション情報に少なくとも部分的に基づいて取得されたモバイルデバイスのロケーションに応答してターゲット広告を受信するための手段と、モバイルデバイスの決定されたロケーションに応答してセキュリティ認証サーバに認証要求を送るための手段と、セキュリティ認証サーバから認証応答を受信するための手段とを与える。
【００３５】
[0043]本明細書で説明する方法およびモバイルデバイスは、適用例に応じて様々な手段によって実装され得る。たとえば、これらの方法は、ハードウェア、ファームウェア、ソフトウェア、またはそれらの組合せで実装され得る。ハードウェア実装の場合、処理ユニットは、１つまたは複数の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、プロセッサ、コントローラ、マイクロコントローラ、マイクロプロセッサ、電子デバイス、本明細書で説明した機能を実行するように設計された他の電子ユニット、またはそれらの組合せの内部に実装され得る。本明細書では、「制御論理」という用語は、ソフトウェア、ハードウェア、ファームウェアまたは組合せによって実装される論理を包含する。
【００３６】
[0044]ファームウェアおよび／またはソフトウェア実装の場合、本方法は、本明細書で説明した機能を実行するモジュール（たとえば、プロシージャ、関数など）を用いて実装され得る。命令を有形に実施するいかなる機械可読媒体も、本明細書で説明した方法を実装する際に使用され得る。たとえば、ソフトウェアコードは、メモリに記憶され、処理ユニットによって実行され得る。メモリは、処理ユニットの内部または処理ユニットの外部に実装され得る。本明細書で使用する「メモリ」という用語は、長期メモリ、短期メモリ、揮発性メモリ、不揮発性メモリ、または他のストレージデバイスのいずれかのタイプを指し、メモリの特定のタイプまたはメモリの数、あるいはメモリが記憶される媒体のタイプに限定されない。
【００３７】
[0045]ファームウェアおよび／またはソフトウェアで実装する場合、機能は、１つまたは複数の命令またはコードとしてコンピュータ可読媒体上に記憶され得る。例としては、データ構造で符号化されたコンピュータ可読媒体、およびコンピュータプログラムで符号化されたコンピュータ可読媒体がある。コンピュータ可読媒体は製品の形態をとり得る。コンピュータ可読媒体は物理的コンピュータ記憶媒体を含む。記憶媒体は、コンピュータによってアクセスされ得る任意の利用可能な媒体であり得る。限定ではなく例として、非一時的コンピュータ可読媒体は、ＲＡＭ、ＲＯＭ、ＥＥＰＲＯＭ（登録商標）、ＣＤ−ＲＯＭまたは他の光ディスク（disk）ストレージ、磁気ディスク（disk）ストレージ、または他の磁気ストレージデバイス、あるいは命令またはデータ構造の形態で所望のプログラムコードを記憶するために使用され得、コンピュータによってアクセスされ得る任意の他の非一時的媒体を備えることができ、本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含めるべきである。非一時的コンピュータ可読媒体は、モバイルデバイス５００のメモリ１２４および／またはサーバ６００のメモリ６１０を実装するために使用され得る。
【００３８】
[0046]コンピュータ可読媒体上での記憶に加えて、命令および／またはデータは、通信装置中に含まれる伝送媒体上の信号として与えられ得る。たとえば、通信装置は、命令とデータとを示す信号を有するトランシーバを含み得る。命令およびデータは、少なくとも１つのプロセッサに、特許請求の範囲で概説する機能を実装させるように構成される。すなわち、通信装置は、開示する機能を実行するための情報を示す信号をもつ伝送媒体を含む。第１の時間において、通信装置中に含まれる伝送媒体は、開示する機能を実行するための情報の第１の部分を含み得、第２の時間において、通信装置中に含まれる伝送媒体は、開示する機能を実行するための情報の第２の部分を含み得る。
【００３９】
[0047]本開示は、ワイヤレスワイドエリアネットワーク（ＷＷＡＮ）、ワイヤレスローカルエリアネットワーク（ＷＬＡＮ）、ワイヤレスパーソナルエリアネットワーク（ＷＰＡＮ）などの様々なワイヤレス通信ネットワークとともに実装され得る。「ネットワーク」および「システム」という用語はしばしば互換的に使用される。「位置」および「ロケーション」という用語は、しばしば互換的に使用される。ＷＷＡＮは、符号分割多元接続（ＣＤＭＡ）ネットワーク、時間分割多元接続（ＴＤＭＡ）ネットワーク、周波数分割多元接続（ＦＤＭＡ）ネットワーク、直交周波数分割多元接続（ＯＦＤＭＡ）ネットワーク、シングルキャリア周波数分割多元接続（ＳＣ−ＦＤＭＡ）ネットワーク、ロングタームエボリューション（ＬＴＥ：Long Term Evolution）ネットワーク、ＷｉＭＡＸ（登録商標）（ＩＥＥＥ８０２．１６）ネットワークなどであり得る。ＣＤＭＡネットワークは、ｃｄｍａ２０００、広帯域ＣＤＭＡ（Ｗ−ＣＤＭＡ（登録商標））などの１つまたは複数の無線アクセス技術（ＲＡＴ）を実装し得る。ｃｄｍａ２０００は、ＩＳ−９５標準、ＩＳ２０００標準、およびＩＳ−８５６標準を含む。ＴＤＭＡネットワークは、モバイル通信用グローバルシステム（ＧＳＭ：Global System for Mobile Communications）、デジタルアドバンストモバイルフォンシステム（Ｄ−ＡＭＰＳ：Digital Advanced Mobile Phone System）、または何らかの他のＲＡＴを実装し得る。ＧＳＭおよびＷ−ＣＤＭＡは、「第３世代パートナーシッププロジェクト」（３ＧＰＰ：3rd Generation Partnership Project）と称する団体からの文書に記載されている。ｃｄｍａ２０００は、「第３世代パートナーシッププロジェクト２」（３ＧＰＰ２：3rd Generation Partnership Project 2）と称する団体からの文書に記載されている。３ＧＰＰおよび３ＧＰＰ２の文書は公的に入手可能である。ＷＬＡＮは、ＩＥＥＥ８０２．１１ｘネットワークであり得、ＷＰＡＮは、Ｂｌｕｅｔｏｏｔｈ（登録商標）ネットワーク、ＩＥＥＥ８０２．１５ｘネットワーク、または何らかの他のタイプのネットワークであり得る。本技法はまた、ＷＷＡＮ、ＷＬＡＮ、および／またはＷＰＡＮの任意の組合せに関して実装され得る。
【００４０】
[0048]移動局は、セルラーまたは他のワイヤレス通信デバイス、パーソナル通信システム（ＰＣＳ）デバイス、パーソナルナビゲーションデバイス（ＰＮＤ：personal navigation device）、個人情報マネージャ（ＰＩＭ）、携帯情報端末（ＰＤＡ）、ラップトップ、あるいはワイヤレス通信および／またはナビゲーション信号を受信することが可能である他の好適なモバイルデバイスなど、デバイスを指す。また、「移動局」という用語は、衛星信号受信、支援データ受信、および／または位置に関係する処理が当該デバイスで発生するかパーソナルナビゲーションデバイス（ＰＮＤ）で発生するかにかかわらず、短距離ワイヤレス、赤外線、ワイヤライン接続、または他の接続などによってＰＮＤと通信するデバイスを含むものとする。また、「移動局」は、衛星信号受信、支援データ受信、および／または位置に関係する処理が当該デバイスで発生するか、サーバで発生するか、またはネットワークに関連する別のデバイスで発生するかにかかわらず、インターネット、Ｗｉ−Ｆｉ（登録商標）、または他のネットワークなどを介してサーバとの通信が可能である、ワイヤレス通信デバイス、コンピュータ、ラップトップなどを含む、すべてのデバイスを含むものとする。上記の任意の動作可能な組合せも「移動局」と見なされる。
【００４１】
[0049]何かが「最適化される」、「必要とされる」という指定または他の指定は、本開示が、最適化されたシステム、または「必要とされる」要素が存在するシステムのみに適用されること（あるいは他の指定による他の制限）を示さない。これらの指定は、特定の説明する実装形態のみを指す。もちろん、多くの実装形態が可能である。本技法は、開発中であるかまたは開発されるプロトコルを含む、本明細書で説明したプロトコル以外のプロトコルとともに使用され得る。
【００４２】
[0050]開示する実施形態の多くの可能な変更および組合せは、機構および方法の下にある同じ基本を依然として採用しながら使用され得ることを当業者なら認識されよう。上記の説明について、説明の目的で、特定の実施形態を参照しながら記述した。ただし、上記の例示的な説明は、網羅的なものでも、本開示を開示された正確な形態に限定するものでもない。上記の教示に鑑みて、多くの変更および変形が可能である。本開示の原理およびそれらの実際的適用例について説明するために、また他の当業者が、企図された特定の用途に好適であるような様々な変更を加えて、本開示および様々な実施形態を最も良く利用することを可能にするために、実施形態を選定し、説明した。
【図２】
2016529742.tif 000003
【図３】
2016529742.tif 000004
【図４】
2016529742.tif 000005
【図５】
2016529742.tif 000006
【図６】
2016529742.tif 000007
【図７】
2016529742.tif 000008
【図１】
2016529742.tif 000009
【図８】
2016529742.tif 000010
【図９】
2016529742.tif 000011
【手続補正書】
【提出日】平成28年2月25日(2016.2.25)
【手続補正１】
【補正対象書類名】特許請求の範囲
【補正対象項目名】全文
【補正方法】変更
【補正の内容】
【特許請求の範囲】
【請求項１】
モバイルデバイスのロケーションを通信する方法であって、
前記モバイルデバイスにおいて、物体に関連するマーカーからの情報を決定することと、
符号化されたデータを決定するために前記マーカーからの前記情報を処理することと、
前記符号化されたデータに従ってロケーション要求を生成することと、ここにおいて、前記符号化されたデータは、セキュアユーザプレーンロケーションセッションを開始するように構成されたコードを備え、
前記生成されたロケーション要求に応答してロケーション情報を通信することと
を備える、方法。
【請求項２】
前記モバイルデバイスがセキュアユーザプレーンロケーション（ＳＵＰＬ）対応端末（ＳＥＴ）である、請求項１に記載の方法。
【請求項３】
前記マーカーが、無線周波数識別タグ、ニアフィールド通信タグ、多次元バーコード、およびクイックレスポンスコードのうちの少なくとも１つを備える、請求項１に記載の方法。
【請求項４】
ロケーション要求を生成することは、
前記符号化されたデータに従ってＳＥＴ主導型ロケーション要求を生成することと
を備える、請求項１に記載の方法。
【請求項５】
前記符号化されたデータは、
前記ＳＵＰＬセッションをサービスする前記ＳＬＰサーバのＩＰアドレス
を備える、請求項４に記載の方法。
【請求項６】
前記符号化されたデータは、
使用されるべきロケーション要求のモードと、
前記モバイルデバイスのロケーションを報告する先のサードパーティサーバのＩＰアドレスと
のうちの少なくとも１つをさらに備える、請求項４に記載の方法。
【請求項７】
ロケーション要求を生成することは、
前記符号化されたデータに従ってＳＵＰＬロケーションプラットフォーム（ＳＬＰ）サーバにロケーション要求ＳＭＳメッセージを送ること
をさらに備える、請求項１に記載の方法。
【請求項８】
ワイヤレスアプリケーションプロトコル（ＷＡＰ）プッシュ機構を介して前記ＳＬＰサーバからＳＵＰＬメッセージを受信することと、
ショートメッセージサービス（ＳＭＳ）機構を介して前記ＳＬＰサーバから前記ＳＵＰＬメッセージを受信することと
のうちの少なくとも１つをさらに備える、請求項７に記載の方法。
【請求項９】
ロケーション情報を通信することは、
ロケーション計算を助けるためにＳＬＰサーバから支援データを受信することと、
ロケーション計算を助けるために前記ＳＬＰサーバにロケーション情報を送ることと
のうちの少なくとも１つを備える、請求項１に記載の方法。
【請求項１０】
前記ロケーション情報は、
前記モバイルデバイスによって測定されたロケーション情報と、
前記モバイルデバイスによって計算されたロケーション情報と
のうちの少なくとも１つを備える、請求項９に記載の方法。
【請求項１１】
前記ロケーション情報に少なくとも部分的に基づいて取得された前記モバイルデバイスのロケーションに応答してターゲット広告を受信すること
をさらに備える、請求項１に記載の方法。
【請求項１２】
前記モバイルデバイスの決定されたロケーションに応答してセキュリティ認証サーバに認証要求を送ることと、ここにおいて、前記セキュリティ認証サーバは、前記モバイルデバイスが前記決定されたロケーションにあることを検証し、
前記セキュリティ認証サーバから認証応答を受信することと
をさらに備える、請求項１に記載の方法。
【請求項１３】
モバイルデバイスであって、
処理論理を含む１つまたは複数の制御ユニット
を備え、前記処理論理は、
前記モバイルデバイスにおいて、物体に関連するマーカーからの情報を決定するように構成された論理と、
符号化されたデータを決定するために前記マーカーからの前記情報を処理するように構成された論理と、
前記符号化されたデータに従ってロケーション要求を生成するように構成された論理と、ここにおいて、前記符号化されたデータは、セキュアユーザプレーンロケーションセッションを開始するように構成されたコードを備え、
前記生成されたロケーション要求に応答してロケーション情報を通信するように構成された論理と
を備える、モバイルデバイス。
【請求項１４】
セキュアユーザプレーンロケーション（ＳＵＰＬ）対応端末（ＳＥＴ）である、請求項１３に記載のモバイルデバイス。
【請求項１５】
前記マーカーは、無線周波数識別タグ、ニアフィールド通信タグ、多次元バーコード、およびクイックレスポンスコードのうちの少なくとも１つを備える、請求項１３に記載のモバイルデバイス。
【請求項１６】
ロケーション要求を生成するように構成された論理は、
前記符号化されたデータに従ってＳＥＴ主導型ロケーション要求を生成するように構成された論理
を備える、請求項１３に記載のモバイルデバイス。
【請求項１７】
前記符号化されたデータは、
前記ＳＵＰＬセッションをサービスする前記ＳＬＰサーバのＩＰアドレス
を備える、請求項１６に記載のモバイルデバイス。
【請求項１８】
前記符号化されたデータは、
使用されるべきロケーション要求のモードと、
前記モバイルデバイスのロケーションを報告する先のサードパーティサーバのＩＰアドレスと
のうちの少なくとも１つをさらに備える、請求項１６に記載のモバイルデバイス。
【請求項１９】
ロケーション要求を生成するように構成された論理は、
前記符号化されたデータに従ってＳＵＰＬロケーションプラットフォーム（ＳＬＰ）サーバにロケーション要求ＳＭＳメッセージを送るように構成された論理
をさらに備える、請求項１３に記載のモバイルデバイス。
【請求項２０】
ワイヤレスアプリケーションプロトコル（ＷＡＰ）プッシュ機構を介して前記ＳＬＰサーバからＳＵＰＬメッセージを受信するように構成された論理と、
ショートメッセージサービス（ＳＭＳ）機構を介して前記ＳＬＰサーバから前記ＳＵＰＬメッセージを受信するように構成された論理と
のうちの少なくとも１つをさらに備える、請求項１９に記載のモバイルデバイス。
【請求項２１】
ロケーション情報を通信するように構成された論理は、
ロケーション計算を助けるためにＳＬＰサーバから支援データを受信するように構成された論理と、
ロケーション計算を助けるために前記ＳＬＰサーバにロケーション情報を送るように構成された論理と
のうちの少なくとも１つを備える、請求項１３に記載のモバイルデバイス。
【請求項２２】
前記ロケーション情報は、
前記モバイルデバイスによって測定されたロケーション情報と、
前記モバイルデバイスによって計算されたロケーション情報と
のうちの少なくとも１つを備える、請求項２１に記載のモバイルデバイス。
【請求項２３】
前記ロケーション情報に少なくとも部分的に基づいて取得された前記モバイルデバイスのロケーションに応答してターゲット広告を受信するように構成された論理
をさらに備える、請求項１３に記載のモバイルデバイス。
【請求項２４】
前記モバイルデバイスの決定されたロケーションに応答してセキュリティ認証サーバに認証要求を送るように構成された論理と、ここにおいて、前記セキュリティ認証サーバは、前記モバイルデバイスが前記決定されたロケーションにあることを検証し、
前記セキュリティ認証サーバから認証応答を受信するように構成された論理と
をさらに備える、請求項１３に記載のモバイルデバイス。
【請求項２５】
モバイルデバイスのロケーションを通信するためのシステムであって、
前記モバイルデバイスにおいて、物体に関連するマーカーからの情報を決定するための手段と、
符号化されたデータを決定するために前記マーカーからの前記情報を処理するための手段と、
前記符号化されたデータに従ってロケーション要求を生成するための手段と、ここにおいて、前記符号化されたデータは、セキュアユーザプレーンロケーションセッションを開始するように構成されたコードを備え、
前記生成されたロケーション要求に応答してロケーション情報を通信するための手段と
を備える、システム。
【請求項２６】
ロケーション要求を生成するための手段は、
前記符号化されたデータに従ってＳＥＴ主導型ロケーション要求を生成するための手段
を備える、請求項２５に記載のシステム。
【請求項２７】
ロケーション要求を生成するための手段は、
前記符号化されたデータに従ってＳＵＰＬロケーションプラットフォーム（ＳＬＰ）サーバにロケーション要求ＳＭＳメッセージを送るための手段
をさらに備える、請求項２５に記載のシステム。
【請求項２８】
ワイヤレスアプリケーションプロトコル（ＷＡＰ）プッシュ機構を介して前記ＳＬＰサーバからＳＵＰＬメッセージを受信するための手段と、
ショートメッセージサービス（ＳＭＳ）機構を介して前記ＳＬＰサーバから前記ＳＵＰＬメッセージを受信するための手段と
のうちの少なくとも１つをさらに備える、請求項２７に記載のシステム。
【請求項２９】
ロケーション情報を通信するための手段は、
ロケーション計算を助けるためにＳＬＰサーバから支援データを受信するための手段と、
ロケーション計算を助けるために前記ＳＬＰサーバにロケーション情報を送るための手段と
のうちの少なくとも１つを備える、請求項２５に記載のシステム。
【請求項３０】
前記ロケーション情報に少なくとも部分的に基づいて取得された前記モバイルデバイスのロケーションに応答してターゲット広告を受信するための手段
をさらに備える、請求項２５に記載のシステム。
【請求項３１】
前記モバイルデバイスの決定されたロケーションに応答してセキュリティ認証サーバに認証要求を送るための手段と、ここにおいて、前記セキュリティ認証サーバは、前記モバイルデバイスが前記決定されたロケーションにあることを検証し、
前記セキュリティ認証サーバから認証応答を受信するための手段と
をさらに備える、請求項２５に記載のシステム。
【請求項３２】
１つまたは複数のコンピュータシステムが実行するための命令を記憶する非一時的媒体であって、前記命令は、
モバイルデバイスにおいて、物体に関連するマーカーからの情報を決定するための命令と、
符号化されたデータを決定するために前記マーカーからの前記情報を処理するための命令と、
前記符号化されたデータに従ってロケーション要求を生成するための命令と、ここにおいて、前記符号化されたデータは、セキュアユーザプレーンロケーションセッションを開始するように構成されたコードを備え、
前記生成されたロケーション要求に応答してロケーション情報を通信するための命令と
を備える、非一時的媒体。
【手続補正２】
【補正対象書類名】明細書
【補正対象項目名】００４２
【補正方法】変更
【補正の内容】
【００４２】
[0050]開示する実施形態の多くの可能な変更および組合せは、機構および方法の下にある同じ基本を依然として採用しながら使用され得ることを当業者なら認識されよう。上記の説明について、説明の目的で、特定の実施形態を参照しながら記述した。ただし、上記の例示的な説明は、網羅的なものでも、本開示を開示された正確な形態に限定するものでもない。上記の教示に鑑みて、多くの変更および変形が可能である。本開示の原理およびそれらの実際的適用例について説明するために、また他の当業者が、企図された特定の用途に好適であるような様々な変更を加えて、本開示および様々な実施形態を最も良く利用することを可能にするために、実施形態を選定し、説明した。
以下に本願発明の当初の特許請求の範囲に記載された発明を付記する。
［Ｃ１］
モバイルデバイスのロケーションを通信する方法であって、
前記モバイルデバイスにおいて、物体に関連するマーカーからの情報を決定することと、
前記決定された情報に従ってロケーション要求を生成することと、
前記生成されたロケーション要求に応答してロケーション情報を通信することと
を備える、方法。
［Ｃ２］
前記モバイルデバイスがセキュアユーザプレーンロケーション（ＳＵＰＬ）対応端末（ＳＥＴ）である、Ｃ１に記載の方法。
［Ｃ３］
前記マーカーが、無線周波数識別タグ、ニアフィールド通信タグ、多次元バーコード、およびクイックレスポンスコードのうちの少なくとも１つを備える、Ｃ１に記載の方法。
［Ｃ４］
ロケーション要求を生成することは、
符号化されたデータを決定するために前記マーカーからの前記情報を処理することと、
前記符号化されたデータに従ってＳＥＴ主導型ロケーション要求を生成することと
を備える、Ｃ１に記載の方法。
［Ｃ５］
前記符号化されたデータは、
ＳＵＰＬロケーションプラットフォーム（ＳＬＰ）サーバへの前記マーカーを識別するように構成された識別子と、
ＳＵＰＬセッションを開始するように構成されたコードと、
前記ＳＵＰＬセッションをサービスする前記ＳＬＰサーバのＩＰアドレスと
のうちの少なくとも１つを備える、Ｃ４に記載の方法。
［Ｃ６］
前記符号化されたデータは、
使用されるべきロケーション要求のモードと、
前記モバイルデバイスのロケーションを報告する先のサードパーティサーバのＩＰアドレスと
のうちの少なくとも１つをさらに備える、Ｃ４に記載の方法。
［Ｃ７］
ロケーション要求を生成することは、
符号化されたデータを取り出すために前記マーカーからの前記情報を処理することと、
前記符号化されたデータに従ってＳＵＰＬロケーションプラットフォーム（ＳＬＰ）サーバにロケーション要求ＳＭＳメッセージを送ることと
をさらに備える、Ｃ１に記載の方法。
［Ｃ８］
ワイヤレスアプリケーションプロトコル（ＷＡＰ）プッシュ機構を介して前記ＳＬＰサーバからＳＵＰＬメッセージを受信することと、
ショートメッセージサービス（ＳＭＳ）機構を介して前記ＳＬＰサーバから前記ＳＵＰＬメッセージを受信することと
のうちの少なくとも１つをさらに備える、Ｃ７に記載の方法。
［Ｃ９］
ロケーション情報を通信することは、
ロケーション計算を助けるためにＳＬＰサーバから支援データを受信することと、
ロケーション計算を助けるために前記ＳＬＰサーバにロケーション情報を送ることと
のうちの少なくとも１つを備える、Ｃ１に記載の方法。
［Ｃ１０］
前記ロケーション情報は、
前記モバイルデバイスによって測定されたロケーション情報と、
前記モバイルデバイスによって計算されたロケーション情報と
のうちの少なくとも１つを備える、Ｃ９に記載の方法。
［Ｃ１１］
前記ロケーション情報に少なくとも部分的に基づいて取得された前記モバイルデバイスのロケーションに応答してターゲット広告を受信すること
をさらに備える、Ｃ１に記載の方法。
［Ｃ１２］
前記モバイルデバイスの決定されたロケーションに応答してセキュリティ認証サーバに認証要求を送ることと、
前記セキュリティ認証サーバから認証応答を受信することと
をさらに備える、Ｃ１に記載の方法。
［Ｃ１３］
モバイルデバイスであって、
処理論理を含む１つまたは複数の制御ユニット
を備え、前記処理論理は、
前記モバイルデバイスにおいて、物体に関連するマーカーからの情報を決定するように構成された論理と、
前記決定された情報に従ってロケーション要求を生成するように構成された論理と、
前記生成されたロケーション要求に応答してロケーション情報を通信するように構成された論理と
を備える、モバイルデバイス。
［Ｃ１４］
セキュアユーザプレーンロケーション（ＳＵＰＬ）対応端末（ＳＥＴ）である、Ｃ１３に記載のモバイルデバイス。
［Ｃ１５］
前記マーカーは、無線周波数識別タグ、ニアフィールド通信タグ、多次元バーコード、およびクイックレスポンスコードのうちの少なくとも１つを備える、Ｃ１３に記載のモバイルデバイス。
［Ｃ１６］
ロケーション要求を生成するように構成された論理は、
符号化されたデータを決定するために前記マーカーからの前記情報を処理するように構成された論理と、
前記符号化されたデータに従ってＳＥＴ主導型ロケーション要求を生成するように構成された論理と
を備える、Ｃ１３に記載のモバイルデバイス。
［Ｃ１７］
前記符号化されたデータは、
ＳＵＰＬロケーションプラットフォーム（ＳＬＰ）サーバへの前記マーカーを識別するように構成された識別子と、
ＳＵＰＬセッションを開始するように構成されたコードと、
前記ＳＵＰＬセッションをサービスする前記ＳＬＰサーバのＩＰアドレスと
のうちの少なくとも１つを備える、Ｃ１６に記載のモバイルデバイス。
［Ｃ１８］
前記符号化されたデータは、
使用されるべきロケーション要求のモードと、
前記モバイルデバイスのロケーションを報告する先のサードパーティサーバのＩＰアドレスと
のうちの少なくとも１つをさらに備える、Ｃ１６に記載のモバイルデバイス。
［Ｃ１９］
ロケーション要求を生成するように構成された論理は、
符号化されたデータを取り出すために前記マーカーからの前記情報を処理するように構成された論理と、
前記符号化されたデータに従ってＳＵＰＬロケーションプラットフォーム（ＳＬＰ）サーバにロケーション要求ＳＭＳメッセージを送るように構成された論理と
をさらに備える、Ｃ１３に記載のモバイルデバイス。
［Ｃ２０］
ワイヤレスアプリケーションプロトコル（ＷＡＰ）プッシュ機構を介して前記ＳＬＰサーバからＳＵＰＬメッセージを受信するように構成された論理と、
ショートメッセージサービス（ＳＭＳ）機構を介して前記ＳＬＰサーバから前記ＳＵＰＬメッセージを受信するように構成された論理と
のうちの少なくとも１つをさらに備える、Ｃ１９に記載のモバイルデバイス。
［Ｃ２１］
ロケーション情報を通信するように構成された論理は、
ロケーション計算を助けるためにＳＬＰサーバから支援データを受信するように構成された論理と、
ロケーション計算を助けるために前記ＳＬＰサーバにロケーション情報を送るように構成された論理と
のうちの少なくとも１つを備える、Ｃ１３に記載のモバイルデバイス。
［Ｃ２２］
前記ロケーション情報は、
前記モバイルデバイスによって測定されたロケーション情報と、
前記モバイルデバイスによって計算されたロケーション情報と
のうちの少なくとも１つを備える、Ｃ２１に記載のモバイルデバイス。
［Ｃ２３］
前記ロケーション情報に少なくとも部分的に基づいて取得された前記モバイルデバイスのロケーションに応答してターゲット広告を受信するように構成された論理
をさらに備える、Ｃ１３に記載のモバイルデバイス。
［Ｃ２４］
前記モバイルデバイスの決定されたロケーションに応答してセキュリティ認証サーバに認証要求を送るように構成された論理と、
前記セキュリティ認証サーバから認証応答を受信するように構成された論理と
をさらに備える、Ｃ１３に記載のモバイルデバイス。
［Ｃ２５］
モバイルデバイスのロケーションを通信するためのシステムであって、
前記モバイルデバイスにおいて、物体に関連するマーカーからの情報を決定するための手段と、
前記決定された情報に従ってロケーション要求を生成するための手段と、
前記生成されたロケーション要求に応答してロケーション情報を通信するための手段と
を備える、システム。
［Ｃ２６］
ロケーション要求を生成するための手段は、
符号化されたデータを決定するために前記マーカーからの前記情報を処理するための手段と、
前記符号化されたデータに従ってＳＥＴ主導型ロケーション要求を生成するための手段と
を備える、Ｃ２５に記載のシステム。
［Ｃ２７］
ロケーション要求を生成するための手段は、
符号化されたデータを取り出すために前記マーカーからの前記情報を処理するための手段と、
前記符号化されたデータに従ってＳＵＰＬロケーションプラットフォーム（ＳＬＰ）サーバにロケーション要求ＳＭＳメッセージを送るための手段と
をさらに備える、Ｃ２５に記載のシステム。
［Ｃ２８］
ワイヤレスアプリケーションプロトコル（ＷＡＰ）プッシュ機構を介して前記ＳＬＰサーバからＳＵＰＬメッセージを受信するための手段と、
ショートメッセージサービス（ＳＭＳ）機構を介して前記ＳＬＰサーバから前記ＳＵＰＬメッセージを受信するための手段と
のうちの少なくとも１つをさらに備える、Ｃ２７に記載のシステム。
［Ｃ２９］
ロケーション情報を通信するための手段は、
ロケーション計算を助けるためにＳＬＰサーバから支援データを受信するための手段と、
ロケーション計算を助けるために前記ＳＬＰサーバにロケーション情報を送るための手段と
のうちの少なくとも１つを備える、Ｃ２５に記載のシステム。
［Ｃ３０］
前記ロケーション情報に少なくとも部分的に基づいて取得された前記モバイルデバイスのロケーションに応答してターゲット広告を受信するための手段
をさらに備える、Ｃ２５に記載のシステム。
［Ｃ３１］
前記モバイルデバイスの決定されたロケーションに応答してセキュリティ認証サーバに認証要求を送るための手段と、
前記セキュリティ認証サーバから認証応答を受信するための手段と
をさらに備える、Ｃ２５に記載のシステム。
［Ｃ３２］
１つまたは複数のコンピュータシステムが実行するための命令を記憶する非一時的媒体であって、前記命令は、
モバイルデバイスにおいて、物体に関連するマーカーからの情報を決定するための命令と、
前記決定された情報に従ってロケーション要求を生成するための命令と、
前記生成されたロケーション要求に応答してロケーション情報を通信するための命令と
を備える、非一時的媒体。
【手続補正書】
【提出日】平成28年2月26日(2016.2.26)
【手続補正１】
【補正対象書類名】特許請求の範囲
【補正対象項目名】全文
【補正方法】変更
【補正の内容】
【特許請求の範囲】
【請求項１】
モバイルデバイスのロケーションを通信する方法であって、
前記モバイルデバイスにおいて、物体に関連するマーカーからの情報を決定することと、
前記決定された情報に従ってロケーション要求を生成することと、ここにおいて、ロケーション要求を生成することは、符号化されたデータを決定するために前記マーカーからの前記情報を処理することと、前記符号化されたデータに従ってＳＥＴ主導型ロケーション要求を生成することと、を備え、
前記生成されたロケーション要求に応答してロケーション情報を通信することと、
前記モバイルデバイスの決定されたロケーションに応答してセキュリティ認証サーバに認証要求を送ることと、ここにおいて、前記セキュリティ認証サーバは、前記モバイルデバイスが前記決定されたロケーションにあることを検証し、
前記セキュリティ認証サーバから認証応答を受信することと、
を備える、方法。
【請求項２】
前記モバイルデバイスがセキュアユーザプレーンロケーション（ＳＵＰＬ）対応端末（ＳＥＴ）である、請求項１に記載の方法。
【請求項３】
前記マーカーが、無線周波数識別タグ、ニアフィールド通信タグ、多次元バーコード、およびクイックレスポンスコードのうちの少なくとも１つを備える、請求項１に記載の方法。
【請求項４】
前記符号化されたデータは、
ＳＵＰＬセッションを開始するように構成されたコード、
前記ＳＵＰＬセッションをサービスする前記ＳＬＰサーバのＩＰアドレス、
または、それらの何らかの組み合わせ
を備える、請求項１に記載の方法。
【請求項５】
前記符号化されたデータは、
使用されるべきロケーション要求のモードと、
前記モバイルデバイスのロケーションを報告する先のサードパーティサーバのＩＰアドレスと、
のうちの少なくとも１つをさらに備える、請求項１に記載の方法。
【請求項６】
ロケーション要求を生成することは、
符号化されたデータを取り出すために前記マーカーからの前記情報を処理することと、
前記符号化されたデータに従ってＳＵＰＬロケーションプラットフォーム（ＳＬＰ）サーバにロケーション要求ＳＭＳメッセージを送ることと、
をさらに備える、請求項１に記載の方法。
【請求項７】
ワイヤレスアプリケーションプロトコル（ＷＡＰ）プッシュ機構を介して前記ＳＬＰサーバからＳＵＰＬメッセージを受信することと、
ショートメッセージサービス（ＳＭＳ）機構を介して前記ＳＬＰサーバから前記ＳＵＰＬメッセージを受信することと、
のうちの少なくとも１つをさらに備える、請求項６に記載の方法。
【請求項８】
ロケーション情報を通信することは、
ロケーション計算を助けるためにＳＬＰサーバから支援データを受信することと、
ロケーション計算を助けるために前記ＳＬＰサーバにロケーション情報を送ることと、
のうちの少なくとも１つを備える、請求項１に記載の方法。
【請求項９】
前記ロケーション情報は、
前記モバイルデバイスによって測定されたロケーション情報と、
前記モバイルデバイスによって計算されたロケーション情報と、
のうちの少なくとも１つを備える、請求項８に記載の方法。
【請求項１０】
前記ロケーション情報に少なくとも部分的に基づいて取得された前記モバイルデバイスのロケーションに応答してターゲット広告を受信すること、
をさらに備える、請求項１に記載の方法。
【請求項１１】
モバイルデバイスであって、
処理論理を含む１つまたは複数の制御ユニット
を備え、前記処理論理は、
前記モバイルデバイスにおいて、物体に関連するマーカーからの情報を決定するように構成された論理と、
前記決定された情報に従ってロケーション要求を生成するように構成された論理と、ここにおいて、ロケーション要求を生成するように構成された論理は、符号化されたデータを決定するために前記マーカーからの前記情報を処理するように構成された論理と、前記符号化されたデータに従ってＳＥＴ主導型ロケーション要求を生成するように構成された論理とを備え、
前記生成されたロケーション要求に応答してロケーション情報を通信するように構成された論理と、
前記モバイルデバイスの決定されたロケーションに応答してセキュリティ認証サーバに認証要求を送るように構成された論理と、ここにおいて、前記セキュリティ認証サーバは、前記モバイルデバイスが前記決定されたロケーションにあることを検証し、
前記セキュリティ認証サーバから認証応答を受信するように構成された論理と、
を備える、モバイルデバイス。
【請求項１２】
セキュアユーザプレーンロケーション（ＳＵＰＬ）対応端末（ＳＥＴ）である、請求項１１に記載のモバイルデバイス。
【請求項１３】
前記マーカーは、無線周波数識別タグ、ニアフィールド通信タグ、多次元バーコード、およびクイックレスポンスコードのうちの少なくとも１つを備える、請求項１１に記載のモバイルデバイス。
【請求項１４】
前記符号化されたデータは、
ＳＵＰＬセッションを開始するように構成されたコード、
前記ＳＵＰＬセッションをサービスする前記ＳＬＰサーバのＩＰアドレス、
または、それらの何らかの組み合わせ、
を備える、請求項１１に記載のモバイルデバイス。
【請求項１５】
前記符号化されたデータは、
使用されるべきロケーション要求のモードと、
前記モバイルデバイスのロケーションを報告する先のサードパーティサーバのＩＰアドレスと、
のうちの少なくとも１つをさらに備える、請求項１１に記載のモバイルデバイス。
【請求項１６】
ロケーション要求を生成するように構成された論理は、
符号化されたデータを取り出すために前記マーカーからの前記情報を処理するように構成された論理と、
前記符号化されたデータに従ってＳＵＰＬロケーションプラットフォーム（ＳＬＰ）サーバにロケーション要求ＳＭＳメッセージを送るように構成された論理と、
をさらに備える、請求項１１に記載のモバイルデバイス。
【請求項１７】
ワイヤレスアプリケーションプロトコル（ＷＡＰ）プッシュ機構を介して前記ＳＬＰサーバからＳＵＰＬメッセージを受信するように構成された論理と、
ショートメッセージサービス（ＳＭＳ）機構を介して前記ＳＬＰサーバから前記ＳＵＰＬメッセージを受信するように構成された論理と、
のうちの少なくとも１つをさらに備える、請求項１６に記載のモバイルデバイス。
【請求項１８】
ロケーション情報を通信するように構成された論理は、
ロケーション計算を助けるためにＳＬＰサーバから支援データを受信するように構成された論理と、
ロケーション計算を助けるために前記ＳＬＰサーバにロケーション情報を送るように構成された論理と、
のうちの少なくとも１つを備える、請求項１１に記載のモバイルデバイス。
【請求項１９】
前記ロケーション情報は、
前記モバイルデバイスによって測定されたロケーション情報と、
前記モバイルデバイスによって計算されたロケーション情報と、
のうちの少なくとも１つを備える、請求項１８に記載のモバイルデバイス。
【請求項２０】
前記ロケーション情報に少なくとも部分的に基づいて取得された前記モバイルデバイスのロケーションに応答してターゲット広告を受信するように構成された論理
をさらに備える、請求項１１に記載のモバイルデバイス。
【請求項２１】
モバイルデバイスのロケーションを通信するためのシステムであって、
前記モバイルデバイスにおいて、物体に関連するマーカーからの情報を決定するための手段と、
前記決定された情報に従ってロケーション要求を生成するための手段と、ここにおいて、ロケーション要求を生成するための手段は、符号化されたデータを決定するために前記マーカーからの前記情報を処理するための手段と、前記符号化されたデータに従ってＳＥＴ主導型ロケーション要求を生成するための手段とを備え、
前記生成されたロケーション要求に応答してロケーション情報を通信するための手段と、
前記モバイルデバイスの決定されたロケーションに応答してセキュリティ認証サーバに認証要求を送るための手段と、
前記セキュリティ認証サーバから認証応答を受信するための手段と、
を備える、システム。
【請求項２２】
ロケーション要求を生成するための手段は、
符号化されたデータを取り出すために前記マーカーからの前記情報を処理するための手段と、
前記符号化されたデータに従ってＳＵＰＬロケーションプラットフォーム（ＳＬＰ）サーバにロケーション要求ＳＭＳメッセージを送るための手段と、
をさらに備える、請求項２１に記載のシステム。
【請求項２３】
ワイヤレスアプリケーションプロトコル（ＷＡＰ）プッシュ機構を介して前記ＳＬＰサーバからＳＵＰＬメッセージを受信するための手段と、
ショートメッセージサービス（ＳＭＳ）機構を介して前記ＳＬＰサーバから前記ＳＵＰＬメッセージを受信するための手段と、
のうちの少なくとも１つをさらに備える、請求項２２に記載のシステム。
【請求項２４】
ロケーション情報を通信するための手段は、
ロケーション計算を助けるためにＳＬＰサーバから支援データを受信するための手段と、
ロケーション計算を助けるために前記ＳＬＰサーバにロケーション情報を送るための手段と、
のうちの少なくとも１つを備える、請求項２１に記載のシステム。
【請求項２５】
前記ロケーション情報に少なくとも部分的に基づいて取得された前記モバイルデバイスのロケーションに応答してターゲット広告を受信するための手段
をさらに備える、請求項２１に記載のシステム。
【請求項２６】
１つまたは複数のコンピュータシステムが実行するための命令を記憶する非一時的媒体であって、前記命令は、
モバイルデバイスにおいて、物体に関連するマーカーからの情報を決定するための命令と、
前記決定された情報に従ってロケーション要求を生成するための命令と、ここにおいて、ロケーション要求を生成するための命令は、符号化されたデータを決定するために前記マーカーからの前記情報を処理するための命令と、前記符号化されたデータに従ってＳＥＴ主導型ロケーション要求を生成するための命令とを備え、
前記生成されたロケーション要求に応答してロケーション情報を通信するための命令と、
前記モバイルデバイスの決定されたロケーションに応答してセキュリティ認証サーバに認証要求を送るための命令と、ここにおいて、前記セキュリティ認証サーバは、前記モバイルデバイスが前記決定されたロケーションにあることを検証し、
前記セキュリティ認証サーバから認証応答を受信するための命令と、
を備える、非一時的媒体。
【国際調査報告】
2016529742.tif 000012
2016529742.tif 000013
2016529742.tif 000014